(57)【要約】【課題】広角な範囲で表示内容を正確に確認できるスポーツ用点灯表示器を提供する。【解決手段】基台に複数の発光ダイオードが設置されて発光ダイオードの点灯によってスポーツに関する情報を表示するスポーツ用点灯表示器において、複数の発光ダイオードは、複数の発光ダイオードの発光方向が複数方向に設定される。かかる構成によって、複数の発光ダイオードの発光方向が複数方向に設定されるので、発光ダイオードの指向性の高さに関わらず、発光ダイオードによる発光を複数方向から視認することができる。従って、スコアの表示を広角な範囲で正確に確認することができる。【選択図】図１
0003154561.tif 000002
【実用新案登録請求の範囲】
【請求項１】
基台に複数の発光ダイオードが設置されて該発光ダイオードの点灯によってスポーツに関する情報を表示するスポーツ用点灯表示器において、
前記複数の発光ダイオードは、該複数の発光ダイオードの発光方向が複数方向に設定されることを特徴とするスポーツ用点灯表示器。
【請求項２】
前記発光ダイオードの複数の発光方向の設定は、
前記発光ダイオードの前記基台に対する設置角度を複数設けることで実行されることを特徴とする請求項１に記載のスポーツ用点灯表示器。
【請求項３】
前記複数の発光ダイオードが複数のグループに分類されて、該グループ毎に同方向へ前記基台に対する設置角度が設定されることを特徴とする請求項１または２に記載のスポーツ用点灯表示器。
【請求項４】
前記各々のグループを形成する前記複数の発光ダイオードの数を略同数とすることを特徴とする請求項３に記載のスポーツ用点灯表示器。
【請求項５】
前記発光ダイオードが分類された前記グループの数は３に設定され、該各グループの発光方向は、
前記基台における前記複数の発光ダイオードの設置面に対して直交する方向に発光される第１発光方向と、
該第１発光方向から前記基台の設置面に対して所定方向に傾斜して発光される第２発光方向と、
該第２発光方向と対称をなす方向に傾斜して発光される第３発光方向と、
に設定されることを特徴とする請求項３または４に記載のスポーツ用点灯表示器。
【請求項６】
前記各々のグループに分類された前記複数の発光ダイオードの発光によって形成される発光形状が略同一であることを特徴とする請求項３〜５のいずれか１項に記載のスポーツ用点灯表示器。
【考案の詳細な説明】
【技術分野】
【０００１】
本考案は、スポーツ用点灯表示器、特に、スポーツの試合における進捗状況を表示するスコア等点灯表示器に関する。
【背景技術】
【０００２】
一般に、野球やサッカー、バスケットボール等のスポーツの試合においては、競技の勝敗の判断基準となる得点（スコア）や、ストライク数、ボール数といったカウント内容（審判の判定内容）を表示する必要がある。ところが、アマチュア野球や少年野球のような小規模な野球大会等が開催される競技場（野球場）は、スコア等の表示装置が完備されている施設ばかりではないので、かかる設備のない競技場でスコア等を表示する装置が必要とされている。
【０００３】
特許文献１として、無線等の通信方式によって送信される内容に基づいてスコア等を表示する表示装置が開示されている。この特許文献１に開示されるスコア等の表示装置は、遠隔操作されるインジケータ装置及び、このインジケータ装置に入力された内容を受信して、この受信内容に基づいてスコア等をランプや発光ダイオード、液晶等によって表示する表示装置を備えている。試合の進行状況に応じてインジケータ装置が操作され、表示装置にスコア等が表示されるので、試合に参加している選手や、監督等の関係者、観戦している観客等に、試合の進捗状況を正確に把握させることができる。
【先行技術文献】
【特許文献】
【０００４】
【特許文献１】特開平１０−１７１３６７号公報
【考案の概要】
【考案が解決しようとする課題】
【０００５】
上記特許文献１に記載されたスコア等の表示装置によると、遠隔操作されるインジケータ装置の操作によって、試合の進捗状況の迅速な表示が可能となるものの、表示装置は電球や発光ダイオード、液晶等の表示媒体によってスコア等を表示するので、これらの表示媒体の指向性によっては、表示装置の正面あるいはその近傍の限定された狭角な範囲内においてしか、表示内容を確認できない可能性が生じる。特に発光ダイオードは指向性が高いので、これを表示媒体として表示装置に使用する場合、表示装置の正面から変位した位置においては、表示内容を正確に確認できないことが懸念される。
【０００６】
従って、かかる点に鑑みてなされた本考案の目的は、広角な範囲で表示内容を正確に確認できるスポーツ用点灯表示器を提供することにある。
【課題を解決するための手段】
【０００７】
上記課題を解決するための請求項１に記載の考案によるスポーツ用点灯表示器は、基台に複数の発光ダイオードが設置されて該発光ダイオードの点灯によってスポーツに関する情報を表示するスポーツ用点灯表示器において、前記複数の発光ダイオードは、該複数の発光ダイオードの発光方向が複数方向に設定されることを特徴とする。
【０００８】
この構成によれば、複数の発光ダイオードの発光方向が複数方向に設定されるので、発光ダイオードの指向性の高さに関わらず、発光ダイオードによる発光を複数方向から視認することができる。従って、スポーツに関する情報の表示を広角な範囲で正確に確認することができる。なお、スポーツに関する情報とは、得点（スコア）、ストライク数やボール数といったカウント内容や、競技開始や終了を示す合図、勝敗の表示、その他これに類似する情報を意味する。
【０００９】
請求項２に記載の考案によるスポーツ用点灯表示器は、請求項１に記載のスポーツ用点灯表示器において、前記発光ダイオードの複数の発光方向の設定は、前記発光ダイオードの前記基台に対する設置角度を複数設けることで実行されることを特徴とする。この構成によれば、発光ダイオードを基台に対して複数の角度を設定して取り付ける簡易な構成によって、複数方向への発光方向を設定することができる。
【００１０】
請求項３に記載の考案によるスポーツ用点灯表示器は、請求項１または２に記載のスポーツ用点灯表示器において、前記複数の発光ダイオードが複数のグループに分類されて、該グループ毎に同方向へ前記基台に対する設置角度が設定されることを特徴とする。
【００１１】
この構成によれば、複数の発光ダイオードが複数のグループに分類されて、各々のグループに属する発光ダイオードの発光方向が複数の方向に設定されるように角度付けがなされることによって、分類されたグループ毎に発光ダイオードが同方向に向けて発光されるように設定されるので、比較的遠距離においても発光ダイオードの発光を視認することができる。
【００１２】
請求項４に記載の考案によるスポーツ用点灯表示器は、請求項３に記載のスポーツ用点灯表示器において、前記各々のグループを形成する前記複数の発光ダイオードの数を略同数とすることを特徴とする。
【００１３】
この構成によれば、複数のグループを形成する複数の発光ダイオードをそれぞれほぼ同数とすることで、各グループに属する発光ダイオードの光量を略均一化することができるので、視認性及び視覚的効果に優れる。
【００１４】
請求項５に記載の考案によるスポーツ用点灯表示器は、請求項３または４に記載のスポーツ用点灯表示器において、前記発光ダイオードが分類された前記グループの数は３に設定され、該各グループの発光方向は、前記基台における前記複数の発光ダイオードの設置面に対して直交する方向に発光される第１発光方向と、該第１発光方向から前記基台の設置面に対して所定方向に傾斜して発光される第２発光方向と、該第２発光方向と対称をなす方向に傾斜して発光される第３発光方向と、に設定されることを特徴とする。
【００１５】
この構成によれば、発光ダイオードの第１発光方向Ｋ１への発光によって、スコア点灯表示器の正面からスポーツに関する情報を確認することができるのみならず、第２発光方向への発光によって、スポーツ用点灯表示器の正面に対する左側からもスポーツに関する情報を確認することができるとともに、第３発光方向への発光によって、スポーツ用点灯表示器の正面に対する右側からもスポーツに関する情報を確認することができる。従って、スポーツに関する情報の表示を広角な範囲で正確に確認することができる。
【００１６】
請求項６に記載の考案によるスポーツ用点灯表示器は、請求項３〜５のいずれか１項に記載のスポーツ用点灯表示器において、前記各々のグループに分類された前記複数の発光ダイオードの発光によって形成される発光形状が略同一であることを特徴とする。
【００１７】
この構成によれば、複数のグループに分類された複数の発光ダイオードの発光形状が、全ての方向において略同一の形状に形成されるので、スポーツ用点灯表示器で示されるスポーツに関する情報の視認性に優れるとともに、視覚的効果の向上を図ることが可能となる。なお、発光形状とは、複数の発光ダイオードにより発光されたときに、見る者が認識するスポーツ用点灯表示器の形状のことを意味する。
【考案の効果】
【００１８】
この考案によると、複数の発光ダイオードの発光方向が複数方向に設定されるので、発光ダイオードの指向性の高さに関わらず、発光ダイオードによる発光を複数方向から視認することができる。従って、スポーツに関する情報の表示を広角な範囲で正確に確認することができる。
【図面の簡単な説明】
【００１９】
【図１】本考案に係る第１実施の形態に係るスポーツ用点灯表示器の概略を説明する図である。
【図２】本考案に係る第２実施の形態に係るスポーツ用点灯表示器の概略を説明する図である。
【図３】同じく、本考案に係る第２実施の形態に係る第１発光方向〜第３発光方向へ発光される発光ダイオードのそれぞれの指向性を概念的に説明する図である。
【図４】本考案に係る第１及び第２実施の形態の点灯表示器を用いたカウント数表示装置の概略を説明する図である。
【図５】同じく、本考案の点灯表示器を用いたカウント数表示装置の構造を説明するブロック図である。
【図６】同じく、本考案の点灯表示器を用いたカウント数表示装置の裏面の概略を説明する図である。
【考案を実施するための形態】
【００２０】
（第１実施の形態）
次に、本考案に係るスポーツ用点灯表示器（以下、「点灯表示器」という）の実施の形態について、図１〜図３に基づいて詳細に説明する。
【００２１】
図１（Ａ）は、点灯表示器１０の概略を説明する図であり、図１（Ｂ）は、図１（Ａ）の矢線Ｐ方向から見た図である。図示のように、点灯表示器１０は、円状に形成された基台１２を備え、この基台１２の設置面１２ａに、１３基の発光ダイオード２０が複数の発光方向、本実施の形態では５方向に向けて設置される。この５方向への発光ダイオード２０の設置は、基台１２の設置面１２ａ上における取付ソケット１４の構成によって、それらに装着される発光ダイオード２０の発光方向が５方向に設定される。
【００２２】
以下、取付ソケット１４の基台１２の設置面１２ａ上における構成について、順次説明する。まず、第１の方向付けを行う取付ソケット１４ａは、基台１２の中央領域において、基台１２の上下方向において直線状に３基が配列される。そして、この取付ソケット１４ａは、発光ダイオード２０ａの実装面が基台１２の設置面１２ａと平行に形成され、この実装面に発光ダイオード２０ａが取り付けられて、発光ダイオード２０ａの発光方向が設置面１２ａに対して直交する。
【００２３】
第２の方向付けを行う取付ソケット１４ｂは、基台１２の中心位置に配置された取付ソケット１４ａに対して右側に隣接して１基が配置され、発光ダイオード２０ｂの実装面が基台１２の設置面１２ａに対して略１５°傾斜して形成され、この実装面に発光ダイオード２０ｂが取り付けられて、発光ダイオード２０ｂの発光方向が基台１２の正面に対して若干左方向に指向する。
【００２４】
第３の方向付けを行う取付ソケット１４ｃは、基台１２の中心位置に配置された取付ソケット１４ａに対して左側に隣接して１基が配置され、発光ダイオード２０ｃの実装面が基台１２の設置面１２ａに対して略１５°傾斜して形成され、この実装面に発光ダイオード２０ｃが取り付けられて、発光ダイオード２０ｃの発光方向が基台１２の正面に対して若干右方向に指向する。
【００２５】
第４の方向付けを行う取付ソケット１４ｄは、基台１２の正面に対して基台１２の右方外周縁に沿って４基が配置され、発光ダイオード２０ｄの実装面が基台１２の設置面１２ａに対して略６０°傾斜して形成され、この実装面に発光ダイオード２０ｄが取り付けられて、発光ダイオード２０ｄの発光方向が基台１２の正面に対して左方向に指向する。
【００２６】
取付ソケット１４ｅは、基台１２の正面に対して基台１２の左方外周縁に沿って４基が配置され、発光ダイオード２０ｅの実装面が基台１２の設置面１２ａに対して略６０°傾斜して形成され、この実装面に発光ダイオード２０ｅが取り付けられて、発光ダイオード２０ｅの発光方向が基台１２の正面に対して右方向に指向する。
【００２７】
そして、設置面１２ａの裏面である配線面１２ｂにおいて、取付ソケット１４ａ〜１４ｅが、図示しない配線網によって電子的に接続されている。
【００２８】
上記構成を備えた点灯表示器１０を点灯させると、発光ダイオード２０ａの指向性により設定される第１の方向は、発光ダイオード２０ａの発光方向が設置面１２ａに対して直交する方向なので、第１の方向への発光は、点灯表示器１０の正面に位置する選手や観衆に対する方向に発光される。第１の方向に位置する観衆等が認識する点灯表示器１０の発光形状は、基台１２の中央領域において略直線状に形成される。
【００２９】
発光ダイオード２０ｂの指向性により設定される第２の方向は、発光ダイオード２０ｂの発光方向が基台１２の正面に対して若干左方向に指向するので、第２の方向への発光は、点灯表示器１０の正面から若干左に位置する選手や観衆に対する方向に発光される。同様に、第３の方向への発光ダイオード２０ｃの発光により、点灯表示器１０の正面から若干右に位置する選手や観衆に対する方向に発光される。第２及び第３の方向に位置する観衆等が認識する点灯表示器１０の発光形状は、基台１２の略中央において点状に形成される。
【００３０】
発光ダイオード２０ｄの指向性により設定される第４の方向は、発光ダイオード２０ｄの発光方向が基台１２の正面に対して左方向に指向するので、第４の方向への発光は、点灯表示器１０の正面から左に位置する選手や観衆に対する方向に発光される。同様に、第５の方向への発光ダイオード２０ｅの発光により、点灯表示器１０の正面から右に位置する選手や観衆に対する方向に発光される。第４及び第５の方向に位置する観衆等が認識する点灯表示器１０の発光形状は、基台１２の左右において略三日月状に形成される。
【００３１】
以上のような構成とすることにより、点灯表示器１０によって、複数の発光ダイオード２０ａ〜２０ｅの発光方向が複数方向に設定されるので、発光ダイオード２０ａ〜２０ｅの指向性の高さに関わらず、発光ダイオード２０ａ〜２０ｅによる発光を複数方向から視認することができる。従って、スポーツのスコアやカウントを表示する装置に本点灯表示器１０を用いることで、スコアやカウントの表示を広角な範囲で正確に確認することができる。また、発光ダイオード２０ａ〜２０ｅを基台１２に対して複数の角度を設定して取り付けることで、発光ダイオード２０ａ〜２０ｅの発光方向を複数方向へ向けることができるので、簡易な構成によって製造コストを抑えた上で、複数の発光方向を設定することができる。
【００３２】
（第２実施の形態）
次に、図２を参照して、本考案の第２実施の形態について説明する。図２（Ａ）は、点灯表示器３０の概略を説明する図であり、図２（Ｂ）は、図２（Ａ）の矢線Ｑ方向から見た図である。なお、図２において、図１と同様の要素には同一の符号を付し、その詳細な説明を省略する。
【００３３】
図示のように、本実施の形態における点灯表示器３０は、基台１２の設置面１２ａに、２１基の発光ダイオード２０が複数の発光方向、本実施の形態では３方向に向けて設置される。この３方向への発光ダイオード２０の設置は、第１実施の形態と同様、基台１２の設置面１２ａ上における取付ソケット１４の構成によって実現される。
【００３４】
取付ソケット１４ａは、基台１２の中央領域において、基台１２の上下方向及び幅方向において十字状に交差して５基が配列される。取付ソケット１４ｄは、十字状に交差して配列された取付ソケット１４ａを内包して、環状に８基が配列される。この取付ソケット１４ｄのうちの４基は、基台１２の正面に対して基台１２の左方外周縁に沿って配列される。取付ソケット１４ｅは、十字状に交差して配列された取付ソケット１４ａを内包するとともに取付ソケット１４ｄの環状配列と一部交錯して、環状に８基が配列される。この取付ソケット１４ｅのうちの４基は、基台１２の正面に対して基台１２の右方外周縁に沿って配列される。
【００３５】
そして、この取付ソケット１４の実装面にそれぞれ、発光ダイオード２０ａ及び２０ｄ、２０ｅが取り付けられる。これら取付ソケット１４ａ及び１４ｄ、１４ｅの設置によって、取付ソケット１４ａの設置により、破線で示す第１発光方向Ｋ１が設定され、取付ソケット１４ｄの設置により、二点鎖線で示す第２発光方向Ｋ２が設定され、取付ソケット１４ｅの設置により、一点鎖線で示す第３発光方向Ｋ３が設定される。すなわち、１つの点灯表示器３０からそれぞれ第１発光方向Ｋ１、第２発光方向Ｋ２、第３発光方向Ｋ３に向けて発光される。
【００３６】
図３（Ａ）〜（Ｃ）は、第１発光方向Ｋ１〜第３発光方向Ｋ３へ発光される発光ダイオード２０ａ及び２０ｄ、２０ｅのそれぞれの指向性を概念的に説明する図である。図３（Ａ）で示すように、取付ソケット１４ａに取り付けられた発光ダイオード２０ａの指向性により設定される第１発光方向Ｋ１は、発光ダイオード２０ａの発光方向が設置面１２ａに対して直交する方向なので、第１発光方向Ｋ１への発光は、点Ｃで示すように、点灯表示器３０の正面に位置する選手や観衆に対する方向に発光される。このとき、点灯表示器３０による第１発光方向Ｋ１への発光形状は、取付ソケット１４ａの配列により略円形に形成される。
【００３７】
図３（Ｂ）で示すように、取付ソケット１４ｄに取り付けられた発光ダイオード２０ｄの指向性により設定される第２発光方向Ｋ２は、発光ダイオード２０ｄの発光方向が、設置面１２ａと直交する方向から設置面１２ａに対して傾斜して指向するので、第１発光方向Ｋ２への発光は、矢線Ｌで示すように、点灯表示器３０の正面に対して左側に位置する選手や観衆に対する方向に発光される。このとき、点灯表示器３０による第２発光方向Ｋ２への発光形状は、取付ソケット１４ｄの配列により略円形に形成される。
【００３８】
図３（Ｃ）で示すように、取付ソケット１４ｅに取り付けられた発光ダイオード２０ｅの指向性により設定される第３発光方向Ｋ３は、発光ダイオード２０ｅの発光方向が、設置面１２ａと直交する方向から設置面１２ａに対して傾斜して指向するので、第３発光方向Ｋ３への発光は、矢線Ｒで示すように、点灯表示器３０の正面に対して右側に位置する選手や観衆に対する方向に発光される。このとき、点灯表示器３０による第３発光方向Ｋ３への発光形状は、取付ソケット１４ｅの配列により略円形に形成される。
【００３９】
上記構成を備えた点灯表示器３０によれば、分類された発光方向毎に発光ダイオード２０ａ及び２０ｄ、２０ｅが同じ発光方向に向けて発光されるように設定されるので、比較的遠距離においても発光ダイオード２０ａ及び２０ｄ、２０ｅの発光を視認することができる。
【００４０】
また、発光ダイオード２０ａ及び２０ｄ、２０ｅの発光方向が第１発光方向Ｋ１〜第３発光方向Ｋ３の複数方向に設定されるので、発光ダイオードの指向性の高さに関わらず、点灯表示器３０による発光を第１発光方向Ｋ１〜第３発光方向Ｋ３の複数方向から視認することができる。従って、スポーツのスコアやカウントを表示する装置に本点灯表示器３０を用いることで、点灯表示器３０の正面に位置する選手や観衆がスコアの表示を確認することができるのみならず、第２発光方向Ｋ２への発光によって、点灯表示器３０の正面に対して左側に位置する選手や観衆がスコアの表示を確認することができるとともに、第３発光方向Ｋ３への発光によって、点灯表示器３０の正面に対して右側に位置する選手や観衆がスコアの表示を確認することができる。従って、スコアの表示を広角な範囲で正確に確認することができる。
【００４１】
更に、第１発光方向Ｋ１〜第３発光方向Ｋ３に向けて発光される発光ダイオード２０ａ及び２０ｄ、２０ｅのいずれもが、基台１２の設置面１２ａに略円形となるように配置されているので、点灯表示器３０の正面から見ても、点灯表示器３０の正面に対する左側から見ても、点灯表示器３０の正面に対する右側から見ても、点灯表示器３０の発光形状をいずれも略円形として視認できるように構成することができる。従って、視認性に優れるとともに、視覚的効果の向上を図ることが可能となる。
【００４２】
（本考案の応用例）
次に、図４〜図６に基づいて、本考案に係る点灯表示器１０または３０を用いた野球のカウント（審判員の判定内容）数を表示するカウント数表示装置を例として、本考案の応用例を説明する。
【００４３】
図４は、カウント数表示装置（以下、「表示装置」という）５０の概略を説明する図である。図示のように、表示装置５０は、ボックス状に形成された表示装置ケース５２を備え、表示装置ケース５２の前面となる部分に平板状に形成された表示パネル５４を備えて形成される。表示装置ケース５２の上部５２ａには、取っ手５２ｂが取り付けられている。
【００４４】
表示パネル５４には、文字表示部５４ａ及びカウント数表示部５４ｂが形成され、文字表示部５４ａにはＳ、Ｂ、Ｏの文字が表示装置５０の上下方向に配列される。Ｓ、Ｂ、Ｏはそれぞれストライク、ボール、アウトを表している。そして、カウント数表示部５４ｂには、文字表示部５４ａの文字の内容に従った基数の点灯表示器１０または３０が配置されて、この点灯表示器１０または３０がライトカバーで被覆されている。
【００４５】
図５は、表示装置５０の構成の概略を説明するブロック図である。図示のように、表示装置５０は、電源バッテリ５９から電力が供給され、リモートコントローラ７０の操作によってカウント数表示部５４ｂの点灯及び消滅の操作が行われる。リモートコントローラ７０は、ストライクボタン７２ａ、ボールボタン７２ｂ、アウトボタン７２ｃを備え、これらのボタン操作に対応する表示をカウント数表示部５４ｂに表示させる。例えば、ストライクボタン７２ａが押された場合、リモートコントローラ制御回路７４において操作内容が判別されてカウント数表示部５４ｂのストライク部分の点灯表示器１０または３０を点灯させる指示がなされたことが認識され、この内容が、送信部７６によって変調されて、送信信号として送信アンテナ７８から電波として、表示装置５０の受信アンテナ６０に送信される。受信アンテナ６０を介して受信部６２により受信された送信信号は、受信部６２によって復調されて、制御回路６４によって、カウント数表示部５４ｂの点灯として認識される。そして、この送信信号に基づいてカウント数表示部５４ｂの点灯表示が実行される。ボールボタン７２ｂ、アウトボタン７２ｃが押された場合も、ストライクボタン７２ａが押された場合と同じ処理が実行される。
【００４６】
なお、表示装置５０及びリモートコントローラ７０の制御構成は、公知技術を適用したものであるので、これ以上の詳細な説明を省略する。
【００４７】
図６は、表示装置５０の裏面の概略を説明する図である。図示のように、表示装置ケース５２の裏面となる部分に、表示装置５０の前面となる部分に取り付けられた表示パネル５４と対向して、補助表示部５８が形成された平板状の補助表示パネル５６が取り付けられる。この補助表示部５８は、図６における表示装置５０の裏面からの正面視に対する左側に、ストライク、ボール、アウトを表すＳ、Ｂ、Ｏの文字が配列され、Ｓ、Ｂ、Ｏの文字の内容に従った個数の発光ダイオード５８ａが配置される。補助表示部５８の発光ダイオード５８ａの点灯は、カウント数表示部５４ｂの点灯表示器１０または３０の発光と連動するように制御されている。
【００４８】
以上のような構成とすることにより、表示装置５０は、リモートコントローラ７０で無線による遠隔操作が可能なので、操作性に優れる。また、表示装置５０の裏面には、補助表示部５８が形成された補助表パネル５６が取り付けられているので、表示装置５０のカウント数表示部５４ｂを直接視認せずに、表示装置５０の裏面から補助表示部５６を確認してリモートコントローラ７０によって遠隔操作することが可能となるので、操作性の更なる向上を図ることができる。
【００４９】
更に、表示装置ケース５２の上部５２ａには取っ手５２ｂが取り付けられているので、表示装置５０を簡易に持ち運ぶことが可能であり、カウント数やスコア等の表示装置が完備されていない施設にも簡易に持ち込んで使用することができる。また、電源バッテリ５９を充電式のバッテリとすることで、電力供給を確保することが困難な屋外設備においても使用することが可能である。
【００５０】
なお、本考案は上記実施の形態及び応用例に限定されることはなく、考案の趣旨を逸脱しない範囲で種々変更可能である。上記第１及び第２実施の形態では、取付ソケット１４ａ〜１４ｅにおける発光ダイオード２０ａ〜２０ｅの実装面を平板状の基台１２の設置面１２ａに対して平行としたり、傾斜させたりすることで発光ダイオード２０ａ〜２０ｅの発光方向を複数方向に設定することを説明したが、例えば、基台１２を平板状ではなく曲面状にしたり複数の凹凸を有する形状にしたりすることで発光ダイオード２０ａ〜２０ｅの発光方向を複数方向に設定するように構成してもよい。
【００５１】
また、上記第２実施の形態では、第１発光方向Ｋ１に５基の取付ソケット１４ａを設定し、第２発光方向Ｋ２及び第３発光方向Ｋ３にそれぞれ８基の取付ソケット１４ｄ、１４ｅを設定した場合を示したが、いずれの発光方向においてもほぼ同数となるように取付ソケットの数を設定してもよい。これにより、各グループに属する発光ダイオードの光量を略均一化することができるので、視認性及び視覚的効果に優れる。
【００５２】
更に、上記第２実施の形態では、発光方向が第１発光方向Ｋ１〜第３発光方向Ｋ３の３方向に設定された場合を示したが、３方向のみに限定されるものではなく、スポーツの内容によって適宜変更することが可能である。また、上記第２実施の形態では、第２発光方向Ｋ２が点灯表示器３０の正面に対する左側に設定され、第３発光方向Ｋ３が点灯表示器３０の正面に対する右側に設定された場合を例として説明したが、第２発光方向Ｋ２及び第３発光方向Ｋ３を第１発光方向Ｋ１に対して上下方向に指向させて設定してもよい。
【００５３】
また、上記応用例では、表示装置５０が野球のカウント数を表示するものである場合を例として説明したが、例えば、テニスの第１セットから第３セットまでの勝敗を表示する場合にも使用できる。その他これに類似する使用方法であれば、スポーツの内容に限定されるものではない。
【００５４】
上記応用例では、カウント数表示部５４ｂの発光色について具体的な指定をしていないが、例えば、ストライクは黄色、ボールは緑色、アウトは赤色のように、発光色をカウントの種類に応じて変えてもよい。
【００５５】
また、表示装置５０の構成部材間の接合部分、例えば、表示装置ケース５２と表示パネル５４の接合部分に水の浸入を防ぐパネル等のシーリング部材を設けて、防水機能を具備させることも可能である。このとき、電源バッテリ５９や制御回路６４をカバー等により被覆して二重構造として、防水機能を向上させることもできる。
【符号の説明】
【００５６】
１０    点灯表示器
１２    基台
１２ａ  設置面
１４    取付ソケット
２０    発光ダイオード
３０    点灯表示器
５０    カウント数表示装置
５２    表示装置ケース
５４    表示パネル
５４ａ  文字表示部
５４ｂ  カウント数表示部
５６    補助表示パネル
５８    補助表示部
７０    リモートコントローラ
ＫＩ    第１発光方向
Ｋ２    第２発光方向
Ｋ３    第３発光方向
【図１】
0003154561.tif 000003
【図２】
0003154561.tif 000004
【図３】
0003154561.tif 000005
【図４】
0003154561.tif 000006
【図５】
0003154561.tif 000007
【図６】
0003154561.tif 000008